(57)【要約】【課題】簡単な構成で非通電状態を含む時間に対応した制御を可能とした放電灯点灯装置を提供する。【解決手段】通電状態を問わず予め設定した時間特性のみに対応して出力が変化する経時変化デバイス39を、ＣＰＵ31とＲＯＭ36、ＲＡＭ37およびＥＥＰＲＯＭ38との間に接続する。経時変化デバイス39の時間特性によってＣＰＵ31とＲＯＭ36、ＲＡＭ37およびＥＥＰＲＯＭ38との接続状態を切り換えることにより、ＲＯＭ36、ＲＡＭ37およびＥＥＰＲＯＭ38に記憶した点灯制御プログラムなどのデータのＣＰＵ31での読み込みを通電状態に拘らず切り換え、簡単な構成で非通電状態を含む時間に対応した制御ができる。【選択図】図１
2009081006.tif 000002
【特許請求の範囲】
【請求項１】
負荷を制御する制御手段と；
この制御手段の動作を制御する所定のデータを記憶した記憶手段と；
この記憶手段に記憶した所定のデータに応じて制御手段を駆動制御する駆動制御手段と；
通電状態を問わず、予め設定された時間特性のみに対応して出力が変化することで駆動制御手段と記憶手段との接続状態を切り換え可能な経時変化デバイスと；
を具備していることを特徴とする負荷制御装置。
【請求項２】
通電状態での最短の寿命時間を有する第１部品と；
非通電状態での最短の寿命時間を有する第２部品と；を具備し、
駆動制御手段は、第１部品の累積動作時間が通電状態での寿命時間に到達すると、制御手段の駆動を停止させ、
経時変化デバイスは、通電状態を問わず、第２部品の非通電状態での寿命時間に対応するタイミングで出力が切り換わって駆動制御手段と記憶手段との接続を遮断するように時間特性が予め設定されている
ことを特徴とする請求項１記載の負荷制御装置。
【請求項３】
記憶手段は、互いに異なる所定のデータを記憶した複数が設けられ、
経時変化デバイスは、記憶手段に対応して複数設けられ、通電状態を問わず、所定のタイミングで出力が切り換わって駆動制御手段と記憶手段との接続を切り換えるように時間特性が設定され、
各経時変化デバイスの時間特性を、駆動制御手段と記憶手段のいずれかとが選択的に順次接続されるように設定する特性設定手段を具備している
ことを特徴とする請求項１記載の負荷制御装置。
【請求項４】
経時変化デバイスの出力が切り換わるタイミングよりも前に第１部品の通電状態での寿命時間が経過したときに、経時変化デバイスの出力を強制的に切り換えて駆動制御手段と記憶手段との接続を遮断させる設定手段を具備している
ことを特徴とする請求項２記載の負荷制御装置。
【請求項５】
経時変化デバイスの出力が切り換わるタイミングを通電による第１部品の劣化に対応して補正する補正手段を具備している
ことを特徴とする請求項２記載の負荷制御装置。
【請求項６】
請求項１ないし５いずれか一記載の負荷制御装置と；
この負荷制御装置により制御される負荷と；
を具備していることを特徴とする電気機器。
【発明の詳細な説明】
【技術分野】
【０００１】
本発明は、記憶手段に記憶した所定のデータに応じて制御手段を駆動制御する駆動制御手段を有する負荷制御装置およびこれを備えた電気機器に関する。
【背景技術】
【０００２】
従来、負荷制御装置である放電灯点灯装置として、負荷である蛍光ランプを点灯させる点灯回路の累積動作時間をモニタし、所定の時間が経過したことを検出すると、点灯回路が寿命であると判断して所定の制御、例えば外部への報知などを行うものが知られている。この放電灯点灯装置では、累積動作時間を、回路各部へ電圧が印加されている時間、あるいは回路各部に電流が流れている時間などを積算することで得ており、この積算時間を、予め設定された基準値と比較することで、所定の時間が経過したかどうかを判断している(例えば、特許文献１参照。)。
【０００３】
また、放電灯点灯装置として、累積動作時間だけでなく、部品の使用状況を加味するために、点灯時間とともに特性が変化する、例えば電解コンデンサなどの部品の特性をモニタし、その検出結果に基づき、寿命を判定する構成も知られている(例えば、特許文献２参照。)。
【特許文献１】特開２０００−３４０３７８号公報(第３−５頁、図１−２)
【特許文献２】特開２００６−２３６６６６号公報(第４−５頁、図１−２)
【発明の開示】
【発明が解決しようとする課題】
【０００４】
しかしながら、上述の特許文献１に記載された放電灯点灯装置において、回路部品は、通電せずに放置していても徐々に劣化する。例えば、電解コンデンサを通電しない状態で放置すると、陽極箔の酸化皮膜と電解液とが化学反応を起こすことで、所定の静電容量が得られなくなり、劣化していく。すなわち、通電していない放置時間が長い場合には、その間の部品の劣化を考慮する必要がある。この放電灯点灯装置では、放置状態による劣化でも、通電させることで電気特性の変化として捉えることは可能であるものの、放置している期間に寿命を迎えた場合、その状態で通電すると、寿命を迎えた部品の動作が保証されないため、異常動作をし、破損するおそれがある。
【０００５】
また、上述の特許文献２に記載された放電灯点灯装置においては、部品の特性変化を考慮しているものの、実際に電源を投入して電気的に動作させない限り、寿命の判定は不可能である。
【０００６】
このように、上述の放電灯点灯装置では、非通電状態を含む時間に対応した制御が容易でないという問題点を有している。
【０００７】
また、このように非通電状態を含む時間に対応した制御をする際には、例えば時間手段であるタイマおよびこのタイマの専用の電池などを用いることが考えられるものの、このような場合には、構成が複雑化するという問題点を有している。
【０００８】
本発明は、このような点に鑑みなされたもので、簡単な構成で非通電状態を含む時間に対応した制御を可能とした負荷制御装置およびこれを備えた電気機器を提供することを目的とする。
【課題を解決するための手段】
【０００９】
請求項１記載の負荷制御装置は、負荷を制御する制御手段と；この制御手段の動作を制御する所定のデータを記憶した記憶手段と；この記憶手段に記憶した所定のデータに応じて制御手段を駆動制御する駆動制御手段と；通電状態を問わず、予め設定された時間特性のみに対応して出力が変化することで駆動制御手段と記憶手段との接続状態を切り換え可能な経時変化デバイスと；を具備しているものである。
【００１０】
制御手段は、例えば、負荷である光源を点灯させる点灯回路などが用いられる。
【００１１】
記憶手段は、例えば、所定のプログラムなどのデータを記憶したＲＯＭ、ＥＥＰＲＯＭ、あるいはＲＡＭなどが用いられる。
【００１２】
駆動制御手段は、例えば、記憶手段に記憶されたデータに応じて動作するＣＰＵなどが用いられる。
【００１３】
経時変化デバイスは、例えば、電源と遮断された状態でリーク現象を伴う電荷蓄積層を有する、いわゆる２層ゲート構造のＥＥＰＲＯＭなどが用いられる。
【００１４】
そして、通電状態を問わず予め設定された時間特性のみに対応して出力が変化する経時変化デバイスによって駆動制御手段と記憶手段との接続状態を切り換えることにより、記憶手段に記憶した所定のデータの駆動制御手段での読み込みを通電状態に拘らず切り換え、簡単な構成で非通電状態を含む時間に対応した制御が可能になる。
【００１５】
請求項２記載の負荷制御装置は、請求項１記載の負荷制御装置において、通電状態での最短の寿命時間を有する第１部品と；非通電状態での最短の寿命時間を有する第２部品と；を具備し、駆動制御手段は、第１部品の累積動作時間が通電状態での寿命時間に到達すると、制御手段の駆動を停止させ、経時変化デバイスは、通電状態を問わず、第２部品の非通電状態での寿命時間に対応するタイミングで出力が切り換わって駆動制御手段と記憶手段との接続を遮断するように時間特性が予め設定されているものである。
【００１６】
そして、第１部品の累積動作時間が通電状態での寿命時間に到達すると、駆動制御手段が制御手段の駆動を停止させるとともに、第２部品の非通電状態での寿命時間となると、そのタイミングで経時変化デバイスの出力が切り換わって駆動制御手段と記憶手段との接続が遮断され、非通電状態での第２部品の寿命時間時には記憶手段の所定のデータの駆動制御手段での読み込みが遮断されるので、通電状態および非通電状態のそれぞれにおいて、第１部品および第２部品の劣化に伴う不具合が防止される。
【００１７】
請求項３記載の負荷制御装置は、請求項１記載の負荷制御装置において、記憶手段は、互いに異なる所定のデータを記憶した複数が設けられ、経時変化デバイスは、記憶手段に対応して複数設けられ、通電状態を問わず、所定のタイミングで出力が切り換わって駆動制御手段と記憶手段との接続を切り換えるように時間特性が設定され、各経時変化デバイスの時間特性を、駆動制御手段と記憶手段のいずれかとが選択的に接続されるように設定する特性設定手段を具備しているものである。
【００１８】
特性設定手段は、例えば、経時変化デバイスの出力が切り換わるときに経時変化デバイスに電圧を与えてこの経時変化デバイスの時間特性を電圧に応じて変化させるものである。
【００１９】
そして、経時変化デバイスの時間特性を、駆動制御手段と記憶手段のいずれかとが選択的に順次接続されるように設定することで、各記憶手段に記憶されたデータに従って負荷に対して時間に応じて異なる制御をすることが可能になる。
【００２０】
請求項４記載の負荷制御装置は、請求項２記載の負荷制御装置において、経時変化デバイスの出力が切り換わるタイミングよりも前に第１部品の通電状態での寿命時間が経過したときに、経時変化デバイスの出力を強制的に切り換えて駆動制御手段と記憶手段との接続を遮断させる設定手段を具備しているものである。
【００２１】
設定手段は、例えば、経時変化デバイスに電圧を与えてこの経時変化デバイスの時間特性を電圧に応じて変化させるものである。
【００２２】
そして、経時変化デバイスの出力が切り換わるタイミングよりも前に第１部品の通電状態での寿命時間が経過すると、設定手段が経時変化デバイスの出力を強制的に切り換えて駆動制御手段と記憶手段との接続を遮断させることで、第１部品および第２部品の劣化に伴う不具合が、より確実に防止される。
【００２３】
請求項５記載の負荷制御装置は、請求項２記載の負荷制御装置において、経時変化デバイスの出力が切り換わるタイミングを通電による第１部品の劣化に対応して補正する補正手段を具備しているものである。
【００２４】
補正手段は、例えば、経時変化デバイスに電圧を与えてこの経時変化デバイスの時間特性を電圧に応じて変化させるものである。
【００２５】
そして、経時変化デバイスの出力が切り換わるタイミングを通電による第１部品の劣化に対応して補正手段が補正することで、経時変化デバイスの時間特性が、第２部品の非通電状態での寿命時間に、より適切に対応させて設定される。
【００２６】
請求項６記載の電気機器は、請求項１ないし５いずれか一記載の負荷制御装置と；この負荷制御装置により制御される負荷と；を具備しているものである。
【００２７】
そして、請求項１ないし５いずれか一記載の負荷制御装置により負荷を制御することで、簡単な構成で非通電状態を含む時間に対応した負荷の制御が可能になる。
【発明の効果】
【００２８】
請求項１記載の負荷制御装置によれば、通電状態を問わず予め設定された時間特性のみに対応して出力が変化する経時変化デバイスによって駆動制御手段と記憶手段との接続状態を切り換えることにより、記憶手段に記憶した所定のデータの駆動制御手段での読み込みを通電状態に拘らず切り換え、簡単な構成で非通電状態を含む時間に対応した制御ができる。
【００２９】
請求項２記載の負荷制御装置によれば、請求項１記載の負荷制御装置の効果に加えて、第１部品の累積動作時間が通電状態での寿命時間に到達すると、駆動制御手段が制御手段の駆動を停止させるとともに、第２部品の非通電状態での寿命時間となると、そのタイミングで経時変化デバイスの出力が切り換わって駆動制御手段と記憶手段との接続が遮断され、非通電状態での第２部品の寿命時間時には記憶手段の所定のデータの駆動制御手段での読み込みが遮断されるので、通電状態および非通電状態のそれぞれにおいて、第１部品および第２部品の劣化に伴う不具合を防止できる。
【００３０】
請求項３記載の負荷制御装置によれば、請求項１記載の負荷制御装置の効果に加えて、経時変化デバイスの時間特性を、駆動制御手段と記憶手段のいずれかとが選択的に順次接続されるように設定することで、各記憶手段に記憶されたデータに従って負荷に対して時間に応じて異なる制御をできる。
【００３１】
請求項４記載の負荷制御装置によれば、請求項２記載の負荷制御装置の効果に加えて、経時変化デバイスの出力が切り換わるタイミングよりも前に第１部品の通電状態での寿命時間が経過すると、設定手段が経時変化デバイスの出力を強制的に切り換えて駆動制御手段と記憶手段との接続を遮断させることで、第１部品および第２部品の劣化に伴う不具合を、より確実に防止できる。
【００３２】
請求項５記載の負荷制御装置によれば、請求項２記載の負荷制御装置の効果に加えて、経時変化デバイスの出力が切り換わるタイミングを通電による第１部品の劣化に対応して補正手段が補正することで、経時変化デバイスの時間特性を、第２部品の非通電状態での寿命時間に、より適切に対応させて設定できる。
【００３３】
請求項６記載の電気機器によれば、請求項１ないし５いずれか一記載の負荷制御装置により負荷を制御することで、簡単な構成で非通電状態を含む時間に対応した負荷の制御ができる。
【発明を実施するための最良の形態】
【００３４】
以下、本発明の一実施の形態を図面を参照して説明する。
【００３５】
図１ないし図４に第１の実施の形態を示し、図１は負荷制御装置を備えた電気機器のブロック図、図２は負荷制御装置の経時変化デバイスを示す説明図、図３は経時変化デバイスの時間特性を示すグラフ、図４は負荷制御装置の部品の動作時間と劣化との関係を示すグラフである。
【００３６】
図１に示すように、電気機器としての照明装置11は、制御手段としての点灯回路(パワー回路)12を有し、この点灯回路12が負荷としての光源である放電ランプすなわち蛍光ランプ13とともに主回路をなしている。そして、この点灯回路12は、制御回路14により駆動制御されている。そして、この点灯回路12と制御回路14とにより、負荷制御装置としての放電灯点灯回路15が構成されている。
【００３７】
点灯回路12は、図示しないが、商用電源を受ける入力回路、全波整流回路、直流電源回路(昇圧チョッパ回路)、インバータ回路、共振負荷回路などから構成され、蛍光ランプ13を点灯制御している。そして、直流電源回路は、例えば第１部品であるとともに第２部品である平滑コンデンサを備えている。この平滑コンデンサは、例えば電解コンデンサであり、照明装置11中の全ての部品の中で通電状態での最短の動作保証時間、すなわち寿命時間である動作寿命時間T1と、非通電状態での最短の寿命時間T2とを有している。すなわち、この平滑コンデンサは、照明装置11の通電状態と非通電状態とのそれぞれの寿命を設定しているものである。
【００３８】
制御回路14は、主制御部としてのマイコン21と、このマイコン21と点灯回路12との間に接続されたドライバ回路である駆動制御回路22と、点灯回路12の動作状態、換言すれば蛍光ランプ13の出力電流であるランプ電流や出力電圧であるランプ電圧などを検出する動作状態検出手段としての動作状態検出回路23と、この動作状態検出回路23で検出したアナログ値をＡ／Ｄ変換してマイコン21へと入力可能にするＡ／Ｄ変換器24とを有している。
【００３９】
マイコン21は、データバスラインBLに対して、駆動制御手段としての演算手段である中央演算処理装置すなわちＣＰＵ31、ディジタルインターフェースであるＩ／Ｏポート32、動作時間計測手段としての通電時間計測手段であるカウンタ33、駆動制御回路22をＰＷＭ制御する制御部本体としてのＰＷＭ制御部34などが接続されているとともに、ＣＰＵ31などが参照するための点灯制御プログラムなどのデータを記憶する記憶手段としてのＲＯＭ36、Ａ／Ｄ変換器24により変換されたディジタル値などのデータを記憶する記憶手段としてのメモリであるＲＡＭ37、カウンタ33により計測された動作時間(通電時間)などのデータを記憶する記憶手段としてのＥＥＰＲＯＭ38が、データバスラインBLに対して、それぞれ経時変化デバイス39を介して接続されている。
【００４０】
ＣＰＵ31は、ＲＡＭ37に記憶されたデータ、あるいはＥＥＰＲＯＭ38に記憶されたデータに基づいて、ＲＯＭ36に記憶された点灯制御プログラムを実行し、蛍光ランプ13を点灯制御するものである。
【００４１】
カウンタ33は、点灯回路12の動作信号が発生している時間をカウントすることで点灯回路12の動作時間をカウントするものである。
【００４２】
ＰＷＭ制御部34は、ＣＰＵ31により演算された所定の動作周波数で駆動制御回路22によりインバータ回路の対をなすスイッチング素子を交互に動作させることで、所定の高周波交流を発生させるものである。
【００４３】
ＲＯＭ36は、ＣＰＵ31により実行される点灯制御プログラムを少なくとも含む各種プログラムが予め格納されている。
【００４４】
ＲＡＭ37は、Ａ／Ｄ変換器24によりＡ／Ｄ変換された動作状態検出回路23の出力結果が格納されるものである。
【００４５】
ＥＥＰＲＯＭ38は、書き換え可能な記憶手段であり、カウンタ33によりカウントされた点灯回路12の動作時間が適宜書き込まれることで、点灯回路12の累積動作時間を記憶可能となっている。なお、この累積動作時間は、点灯制御プログラムにより直流電源回路の平滑コンデンサの通電状態での寿命時間である動作寿命時間T1(図４)と比較される。これは、一度も電源を切断することなく平滑コンデンサが電圧ストレス、あるいは電流ストレスなどの電気的ストレスや温度、湿度などの周囲環境による劣化によって寿命を迎えた状態を検出することを目的とする。
【００４６】
経時変化デバイス39は、例えば電源と遮断された状態でリーク現象を伴う電荷蓄積層を有する、いわゆる２層ゲート構造のＥＥＰＲＯＭなどであり、図２に示すように、例えば入力端子39a、出力端子39bおよび制御入力端子39cを備えた３端子の素子であり、通電した状態でも、通電していない状態でも、すなわち通電状態を問わず、時間とともに出力信号が変化するものである。入力端子39aは、ＲＯＭ36、ＲＡＭ37、およびＥＥＰＲＯＭ38にそれぞれ接続され、出力端子39bは、データバスラインBLにそれぞれ接続されている。
【００４７】
ここで、この経時変化デバイス39の時間特性は、例えば制御入力端子39cに印加する電圧値およびその極性によって設定され、例えば大きい電圧を印加すると出力が長時間継続するように、すなわち電圧値に応じた出力時間となるように構成されている。本実施の形態では、経過時間が少ない状態では、入力端子39aに入力された入力信号がそのまま出力端子39bから出力され、所定の時間が経過すると、出力が切り換わって入力端子39aに入力された入力信号が出力端子39bに現れなくなる。したがって、この経時変化デバイス39は、ＲＯＭ36、ＲＡＭ37およびＥＥＰＲＯＭ38などの各種記憶手段とＣＰＵ31との間のデータスイッチとして動作する。本実施の形態において、この時間特性は、図３に示すように、直流電源回路の平滑コンデンサを非通電状態で放置したときの経時劣化による寿命時間、すなわち非通電状態での寿命時間T2に対応して経時変化デバイス39の出力が切り換わるように設定されている。この時間特性は、一度も通電されることなく平滑コンデンサが経時劣化によって寿命を迎えた状態を検出することを目的としており、例えば製造工程などにおいて制御入力端子39cに適宜の極性の電圧を印加することで設定されている。この場合、制御入力端子39cは、時間特性の設定の後、何も接続しない状態とする。
【００４８】
動作状態検出回路23は、例えば蛍光ランプ13の電流値を検出する電流検出手段である電流センサ、および、蛍光ランプ13の電圧値を検出する電圧検出手段である電圧センサなどを備え、これら検出した電流値および電圧値を検出値、すなわちアナログのデータ(シリアルデータ)としてＡ／Ｄ変換器24に出力可能である。
【００４９】
Ａ／Ｄ変換器24は、動作状態検出回路23から入力されたアナログのデータ(シリアルデータ)をＡ／Ｄ変換してマイコン21のＩ／Ｏポート32へと出力するものである。なお、このＡ／Ｄ変換器24は、マイコン21内部に搭載されていてもよい。
【００５０】
次に、上記第１の実施の形態の動作を説明する。
【００５１】
制御回路14では、ＣＰＵ31が、例えば動作状態検出回路23により検出されＡ／Ｄ変換器24により変換されてＲＡＭ37に記憶されたランプ電流やランプ電圧などが予め設定された所定値に近づくように動作周波数をフィードバック制御する。
【００５２】
この場合、ＣＰＵ31は、ＲＯＭ36に記憶された点灯制御プログラムに従って所定の演算が行われ、必要な動作周波数が求められ、その結果がＰＷＭ制御部34に出力される。
【００５３】
そして、ＰＷＭ制御部34では、このＣＰＵ31により設定された動作周波数に従った制御信号が生成され、この制御信号により、駆動制御回路22を介してインバータ回路の対をなすスイッチング素子を交互にスイッチング動作させることで、点灯回路12の動作状態、すなわち蛍光ランプ13の点灯状態を制御する。
【００５４】
ここで、制御回路14は、システムの寿命を判断する２種類の手段(方法)が搭載されており、どちらかが寿命であると判断すると動作を停止するように機能する。
【００５５】
具体的に、各経時変化デバイス39に時間特性を設定してから寿命時間T2が経過すると、経時変化デバイス39の出力が切り換わって(低下して)０となり、ＲＯＭ36、ＲＡＭ37およびＥＥＰＲＯＭ38のそれぞれがデータバスラインBL、すなわちＣＰＵ31に対して遮断される。したがって、ＣＰＵ31では、ＲＯＭ36に記憶された点灯制御プログラムや、ＲＡＭ37に記憶されたランプ電流やランプ電圧などのデータ、および、ＥＥＰＲＯＭ38に記憶された累積動作時間などが読み出せなくなってしまう。このため、点灯制御プログラムが存在しないことと同じ状態となり、マイコン21は動作することができず、したがって点灯回路12も動作することができない。この結果、非通電状態での平滑コンデンサの部品寿命に伴う異常動作などを防止する。
【００５６】
また、ＥＥＰＲＯＭ38に記憶された累積動作時間が動作寿命時間T1に到達した場合、点灯制御プログラムによりシステムの寿命であると判断し、ＰＷＭ制御部34からの制御信号を停止させることにより、通電状態での部品寿命に伴う異常動作などを防止する。
【００５７】
以上のように、通電状態を問わず予め設定された時間特性のみに対応して出力が変化する経時変化デバイス39によってＣＰＵ31とＲＯＭ36、ＲＡＭ37およびＥＥＰＲＯＭ38の接続状態を切り換えることにより、時間手段であるタイマやその専用の電池などを備えることなく、ＲＯＭ36、ＲＡＭ37およびＥＥＰＲＯＭ38での読み込みを照明装置11の通電、非通電に拘らず経過時間のみに対応して切り換えることができ、簡単な構成で非通電状態を含む時間に対応した制御ができる。
【００５８】
すなわち、通電状態および非通電状態でのそれぞれの寿命を有する平滑コンデンサなどの部品を有する照明装置11においては、非通電状態のまま部品が寿命を迎えると、この状態で通電させた際に、この部品の劣化に伴う異常動作を起こすおそれがあるため、通電状態を問わず寿命を判定する必要がある。このため、本実施の形態では、通電状態に無関係な時間特性を有する経時変化デバイス39に、平滑コンデンサの非通電状態での寿命時間に対応するタイミングで出力が切り換わる時間特性を予め設定することで、平滑コンデンサの非通電状態での寿命時間T2に到達すると経時変化デバイス39によりＣＰＵ31とＲＯＭ36、ＲＡＭ37およびＥＥＰＲＯＭ38との接続が遮断されて点灯制御プログラムの読み込みが遮断されるとともに、平滑コンデンサの累積動作時間が通電状態での寿命時間T1に到達するとＣＰＵ31が点灯回路12の駆動を停止させるので、通電状態と非通電状態とのいずれの場合の寿命時間が経過した場合でも確実に照明装置11の動作を停止させて、平滑コンデンサなどの部品の劣化に伴う異常動作などの不具合を防止できる。
【００５９】
次に、図５に第２の実施の形態を示し、図５は負荷制御装置を備えた電気機器のブロック図である。なお、上記第１の実施の形態と同様の構成および作用については、同一符号を付してその説明を省略する。
【００６０】
この第２の実施の形態は、上記第１の実施の形態において、寿命時間T2を迎えるタイミングよりも前に、ＥＥＰＲＯＭ38に記憶された累積点灯時間が動作寿命時間T1となると、各経時変化デバイス39の時間特性を強制的に低下させて０とするものである。
【００６１】
具体的に、マイコン21は、設定手段の機能を有する経時変化デバイス制御ブロックであるコントローラ41を備え、このコントローラ41は、各経時変化デバイス39の制御入力端子39cにそれぞれ接続可能となっている。
【００６２】
コントローラ41は、各経時変化デバイス39の時間特性を設定する制御入力信号を生成して供給可能に構成されている。そして、このコントローラ41は、製造工程などにおいて、寿命時間T2に対応する制御入力信号を各経時変化デバイス39の制御入力端子39cに入力し、上記第１の実施の形態の図３に示す時間特性と同様の時間特性を記憶させる。この後、各制御入力端子39cは、電気的にフローティング状態(絶縁状態)に切り離しておく。
【００６３】
そして、上記第１の実施の形態と同様に、制御回路14が蛍光ランプ13を点灯制御し、上記時間特性の設定から寿命時間T2が経過すると、経時変化デバイス39の出力が０となり、ＲＯＭ36、ＲＡＭ37およびＥＥＰＲＯＭ38から各経時変化デバイス39に入力された入力信号が各経時変化デバイス39の出力端子39bに現れなくなり、ＣＰＵ31により点灯制御プログラム、ランプ電流、ランプ電圧、あるいは累積動作時間が読み出されなくなり、マイコン21が動作を停止し、点灯回路12が機能しなくなることで、非通電状態での部品寿命に伴う不具合を防止できる。
【００６４】
また、通電により劣化する平滑コンデンサの累積動作時間が動作寿命時間T1に到達すると、ＣＰＵ31が、点灯制御プログラムによりシステムの寿命であると判断し、ＰＷＭ制御部34からの制御信号を停止させることにより、通電状態での部品寿命に伴う異常動作などを防止できる。
【００６５】
ここで、通常の電気機器において、通電状態と非通電状態とが繰り返されるが、相対的に通電状態の方が長ければ、電気的ストレスによる平滑コンデンサなどの部品の劣化の影響の方が大きいと考えられる。このような場合には、照明装置11において、各経時変化デバイス39の出力が０となるタイミング、すなわち各経時変化デバイス39により寿命と判定されるタイミングよりも早いタイミングで、累積動作時間による寿命が判定されることがある。
【００６６】
したがって、本実施の形態では、各経時変化デバイス39により平滑コンデンサの非通電状態での寿命時間T2に対応して出力が０になるタイミングよりも前に平滑コンデンサの累積動作時間が動作寿命時間T1に到達してＣＰＵ31がＰＷＭ制御部34からの制御信号を停止させるときに、同時にＣＰＵ31からコントローラ41へと所定の制御信号が出力され、各経時変化デバイス39の制御入力端子39cにコントローラ41から時間特性を入力したときと逆極性の制御入力信号を与えて、記憶した時間特性を消去する、すなわち出力を強制的に０とする。
【００６７】
この結果、ＲＯＭ36、ＲＡＭ37およびＥＥＰＲＯＭ38とＣＰＵ31との接続も遮断され、ＣＰＵ31では、ＲＯＭ36に記憶された点灯制御プログラムや、ＲＡＭ37に記憶されたランプ電流やランプ電圧などのデータ、および、ＥＥＰＲＯＭ38に記憶された累積動作時間などが読み出せなくなり、マイコン21は動作することができず、したがって点灯回路12も動作することができない。
【００６８】
すなわち、通電状態を問わず予め設定された時間特性のみに対応して出力が変化する経時変化デバイス39によってＣＰＵ31とＲＯＭ36、ＲＡＭ37およびＥＥＰＲＯＭ38の接続状態を切り換えるなど、上記第１の実施の形態と同様の構成を有することで、上記第１の実施の形態と同様の作用効果を奏することが可能であるとともに、平滑コンデンサなどの部品の通電状態での累積動作時間が、非通電状態での寿命時間T2よりも先に動作寿命時間T1を迎えた場合には、経時変化デバイス39の出力を強制的に０に切り換えて、ＣＰＵ31とＲＯＭ36、ＲＡＭ37およびＥＥＰＲＯＭ38とを遮断するので、平滑コンデンサなどの部品の劣化による異常動作などを、より確実に防止できる。
【００６９】
また、このようにマイコン21が動作を停止する前に、コントローラ41と経時変化デバイス39の制御入力端子39cとを電気的に切り離しておくことで、再度主電源を投入しても、マイコン21がＲＯＭ36、ＲＡＭ37およびＥＥＰＲＯＭ38からデータを読み出すことができず、点灯制御プログラムが実行されず、点灯回路12も動作しないので、誤動作を、より確実に防止できる。
【００７０】
次に、図６に第３の実施の形態を示し、図６は負荷制御装置を備えた電気機器のブロック図である。なお、上記各実施の形態と同様の構成および作用については、同一符号を付してその説明を省略する。
【００７１】
この第３の実施の形態は、上記第２の実施の形態において、駆動制御回路22と点灯回路12との間に切換手段としてのスイッチ43が設けられているものである。
【００７２】
このスイッチ43は、駆動制御回路22と点灯回路12との間に設けられ、マイコン21のＩ／Ｏポート32に接続されている。そして、このスイッチ43は、照明装置11の通常の動作状態でオンとなるとともに、平滑コンデンサの累積動作時間が動作寿命時間T1に到達した場合に、ＣＰＵ31からの信号がＩ／Ｏポート32を介して入力されることでオフとなり、駆動制御回路22から点灯回路12に供給される出力信号を無効にするものである。
【００７３】
この結果、上記第２の実施の形態と同様の作用効果を奏することが可能になるとともに、スイッチ43によりマイコン21側から点灯回路12への信号を物理的に確実に遮断でき、誤動作などを確実に防止できる。
【００７４】
なお、上記第３の実施の形態において、スイッチ43は、例えばＰＷＭ制御部34と駆動制御回路22との間に設けて、ＰＷＭ制御部34からの入力信号を無効にするようにしてもよい。
【００７５】
次に、図７に第４の実施の形態を示し、図７は負荷制御装置の経時変化デバイスの時間特性の補正制御を示すグラフである。なお、上記各実施の形態と同様の構成および作用については、同一符号を付してその説明を省略する。
【００７６】
この第４の実施の形態は、上記第２の実施の形態および第３の実施の形態において、コントローラ41が、各経時変化デバイス39の出力が切り換わるタイミングを通電による平滑コンデンサなどの部品の劣化に対応して補正する補正手段の機能を有しているものである。なお、この第４の実施の形態の回路構成は、第２の実施の形態、あるいは第３の実施の形態の回路構成と同様である。
【００７７】
例えば、照明装置11に電源が投入され、通電動作が開始された後、図７(a)に示すように、動作寿命時間T1に近い、例えば時間T1−ΔT1まで連続通電されて、電源が遮断され、非通電状態となったとすると、この時点で各経時変化デバイス39は、残り寿命時間T2−(T1−ΔT1)を記憶している。
【００７８】
この状態で、非通電状態のまま放置すると、最初に設定した寿命時間T2よりも短い時間、すなわち、通電状態での残り寿命時間ΔT1に非通電状態で対応する時間ΔT1aだけ経過した時点で、非通電状態での寿命に達する。そこで、コントローラ41が、寿命時間T2を、新たな寿命時間T2aに補正する。
【００７９】
具体的には、例えば平滑コンデンサのリプル電流や、直列等価抵抗などの寿命に関連した電気特性を動作時に取得し、これによって寿命時間T2を補正する。例えば、リプル電流の大きさや直列等価抵抗の大きさを累積動作時間に亘って定期的にモニタし、これらのパラメータが硬化した場合には、劣化が進行しているため、コントローラ41から各経時変化デバイス39の制御入力端子39cに、寿命時間T2を設定するときに印加した制御入力信号と逆極性の信号を必要な時間だけ印加することで、寿命時間T2を、寿命時間T2aへと短くするように補正する。この制御は、照明装置11の通電中に常時行われるものとする。
【００８０】
このように、通電状態を問わず予め設定された時間特性のみに対応して出力が変化する経時変化デバイス39によってＣＰＵ31とＲＯＭ36、ＲＡＭ37およびＥＥＰＲＯＭ38の接続状態を切り換えるなど、上記実施の形態と同様の構成を有することで、上記実施の形態と同様の作用効果を奏することが可能であるとともに、経時変化デバイス39の出力が切り換わるタイミングを、通電による平滑コンデンサの劣化に対応して補正することで、経時変化デバイス39の時間特性を、平滑コンデンサの非通電状態での寿命時間T2に、より適切に対応させて設定でき、平滑コンデンサなどの非通電状態での劣化に伴う異常動作などの不具合を、より確実に防止できる。
【００８１】
なお、上記第４の実施の形態において、例えば通電状態から電源が遮断された直後で、かつ、電源遮断により点灯回路12および制御回路14が動作を停止するまでの間に、この遮断直前の状態を用いて寿命時間T2を補正することも可能である。この場合、通電状態で寿命に達した際には累積動作時間による判定ができ、かつ、上記のように通電したままほぼ寿命に到達している場合でも、電源遮断直前の状態で寿命時間T2を補正するので、非通電時に寿命に到達することを検知可能である。
【００８２】
また、上記各実施の形態において、経時変化デバイス39は、例えばＲＯＭ36のみに対応して設けてもよい。
【００８３】
次に、図８および図９に第５の実施の形態を示し、図８は負荷制御装置を備えた電気機器のブロック図、図９は負荷制御装置の経時変化デバイスの時間特性を示すグラフである。なお、上記各実施の形態と同様の構成および作用については、同一符号を付してその説明を省略する。
【００８４】
この第５の実施の形態は、マイコン21の内部に、上記各実施の形態と同様のＣＰＵ31、Ｉ／Ｏポート32、ＰＷＭ制御部34、ＲＡＭ37およびＥＥＰＲＯＭ38などを備えているとともに、記憶手段であるＲＯＭ361，362とを備え、これらＲＯＭ361，362に対応して経時変化デバイス391，392がそれぞれ設けられているとともに、これら経時変化デバイス391，392の制御入力端子39cに特性設定手段の機能を有するコントローラ45が接続され、所定の時間毎(所定の時刻)に、例えば午前と午後とで、蛍光ランプ13の点灯制御を切り換えるものである。
【００８５】
ＲＯＭ361には、ＣＰＵ31により実行される第１点灯制御プログラムを少なくとも含む各種プログラムが予め格納されている。
【００８６】
ＲＯＭ362には、ＣＰＵ31により実行される第２点灯制御プログラムを少なくとも含む各種プログラムが予め格納されている。この第２点灯制御プログラムは、第１点灯制御プログラムと異なっており、第１点灯制御プログラムと異なる点灯制御をするものである。
【００８７】
なお、これらＲＯＭ361，362は、それぞれ別個に設けてもよく、１つのＲＯＭ領域を複数のセクションに区切り、各セクションを専用のデータバスにより各経時変化デバイス391，392に接続してもよい。
【００８８】
コントローラ45は、各経時変化デバイス391，392の制御入力端子39cに対して制御入力信号を入力することで、ＣＰＵ31とＲＯＭ361，362のいずれかとが選択的に順次接続されるように、各経時変化デバイス391，392の時間特性を設定するものである。
【００８９】
具体的に、製造工程などにおいて、コントローラ45は、各経時変化デバイス391，392に対して所定の寿命時間を設定した後、これら経時変化デバイス391，392の制御入力端子39cから電気的に切り離す。例えば、図９(a)に示すように、経時変化デバイス391に対しては、所定の極性の電圧を印加することで、寿命時間T3(例えば１２時間)になると出力が低下する時間特性を設定するとともに、経時変化デバイス392に対しては、逆極性の電圧を印加することで、図９(b)に示すように、寿命時間T3よりも長い時間T4(例えば１３時間)において出力が０から増加する、すなわち図９(a)に示す特性と出力状態が反対となるような時間特性を設定する。
【００９０】
ここで、ＣＰＵ31は、ＲＯＭ361から第１点灯制御プログラムを読み出すように設定されている。
【００９１】
この寿命時間の設定の後、寿命時間T3が経過するまで、ＣＰＵ31は、ＲＯＭ361から第１点灯制御プログラムを読み出し、この第１点灯制御プログラムに従って、上記各実施の形態と同様に蛍光ランプ13を点灯制御する。
【００９２】
寿命時間T3が経過すると、経時変化デバイス391の出力が切り換わって０となることで、ＣＰＵ31がＲＯＭ361の第１点灯制御プログラムを読み出すことができなくなるので、この寿命時間T3の経過直前に、ＣＰＵ31が、点灯回路12の動作を停止するように駆動制御信号を停止させ、さらに、プログラムの読み込み先をＲＯＭ362に設定変更する。また、経時変化デバイス391の出力が０になると同時に、各経時変化デバイス391，392の制御入力端子39cをコントローラ45と接続し、このコントローラ45により、寿命時間T3を設定したときと同様の極性の電圧を経時変化デバイス392の制御入力端子39cに入力して、経時変化デバイス392に所定の時間特性、例えばここでは図９(a)に示すような寿命時間T3を有する時間特性を設定し、経時変化デバイス391に、例えば図９(b)に示すよう時間特性を設定した後、コントローラ45を各制御入力端子39cから電気的に切り離す。なお、この経時変化デバイス391，392に設定する時間特性は、経時変化デバイス392，391に初期設定した時間特性と必ずしも同一でなくてもよい。
【００９３】
このような設定により、ＣＰＵ31は、続く寿命時間T3の間、ＲＯＭ362から読み出した第２点灯制御プログラムに従って蛍光ランプ13を点灯制御する。
【００９４】
さらに、寿命時間T3が経過すると、上記と同様に経時変化デバイス392の出力が切り換わって０となることで、ＣＰＵ31がＲＯＭ362の第２点灯制御プログラムを読み出すことができなくなるので、この寿命時間T3の経過直前に、ＣＰＵ31が、点灯回路12の動作を停止するように駆動制御信号を停止させ、さらに、プログラムの読み込み先をＲＯＭ361に設定変更する。また、経時変化デバイス392の出力が０になると同時に、各経時変化デバイス391，392の制御入力端子39cをコントローラ45と接続し、このコントローラ45により、例えば初期設定時と同様の極性の電圧を各制御入力端子39cにそれぞれ入力して、経時変化デバイス391に所定の時間特性、例えばここでは図９(a)に示すような寿命時間T3を有する時間特性を設定し、経時変化デバイス392に所定の時間特性、例えばここでは図９(b)に示すような時間特性を設定した後、コントローラ45を各制御入力端子39cから切り離す。なお、この設定の際の時間特性は、必ずしも初期設定と同一の設定としなくてもよい。
【００９５】
そして、同様に設定を繰り返すことで、時間手段であるタイマやその専用の電池などを備えることなく、蛍光ランプ13をそれぞれのＲＯＭ361，362に記憶した各点灯制御プログラムによって非通電状態を含む時間に対応して、すなわち照明装置11の通電状態を問わず、経過時間のみに対応させて制御できる。
【００９６】
次に、図１０ないし図１２に第６の実施の形態を示し、図１０は負荷制御装置を備えた電気機器のブロック図、図１１は負荷制御装置の制御を示すタイミングチャート、図１２は経時変化デバイスの時間特性を示すグラフである。なお、上記各実施の形態と同様の構成および作用については、同一符号を付してその説明を省略する。
【００９７】
この第６の実施の形態は、上記第５の実施の形態において、照明装置11が複数、例えばＮ個のＲＯＭ361，362，…，36Nを有し、これらＲＯＭ361，362，…，36Nのそれぞれに対応して経時変化デバイス391，392，…，39Nが接続されており、かつ、ＰＷＭ制御部34および駆動制御回路22に代えて、マイコン21内に制御インターフェース47が設けられ、所定の時間毎(所定の時刻)に蛍光ランプ13の点灯制御を切り換えるものである。
【００９８】
ＲＯＭ361，362，…，36Nには、それぞれ異なる点灯制御プログラムを少なくとも含む各種プログラムが予め格納されている。
【００９９】
制御インターフェース47は、ＣＰＵ31により演算された所定の動作周波数の駆動制御信号を出力することでインバータ回路の対をなすスイッチング素子を交互に動作させて、所定の高周波交流を発生させるものである。
【０１００】
そして、コントローラ45は、ＣＰＵ31とＲＯＭ361，362，…，36Nのいずれかとが選択的に順次接続されるように、各経時変化デバイス391，392，…，39Nの時間特性を設定するものである。
【０１０１】
このコントローラ45による本実施の形態の制御を、具体的に、Ｎ＝３の場合で考え、例えば図１１に示すように、１日を８時間毎に朝(０：００〜８：００)、昼(８：００〜１６：００)、夜(１６：００〜０：００(２４：００))と３分割して、それぞれ異なる制御をするものとする。
【０１０２】
まず、１回目の設定(初期設定)として、例えば、経時変化デバイス391に対して、時間特性を１０：００に設定する場合、この経時変化デバイス391の寿命時間を８時間に設定すると、２回目以降の設定のタイミングがずれてしまうため、このタイミングに対してずれている時間ΔＴ分、すなわちここでは２時間分を短くした寿命時間T5を有する時間特性(図１２(a))を経時変化デバイス391に対して設定し、経時変化デバイス392，393に対しては、この寿命時間T5よりも長い時間T6(例えば７時間)まで出力０が継続する時間特性(図１２(b))を設定した後、コントローラ45と各制御入力端子39cとを電気的に切り離す。
【０１０３】
また、ＣＰＵ31は、点灯制御プログラムの読み込み先を、ＲＯＭ361に設定する。
【０１０４】
この状態で、ＣＰＵ31は、ＲＯＭ361から読み出した点灯制御プログラムに従って蛍光ランプ13を点灯制御する。
【０１０５】
寿命時間T5、すなわち６時間が経過して１６：００になると、２回目の設定が行われる。すなわち、経時変化デバイス391の出力が切り換わって０となることで、ＣＰＵ31がＲＯＭ361の点灯制御プログラムを読み出すことができなくなるので、この寿命時間T5の経過直前に、ＣＰＵ31が、点灯回路12の動作を停止するように駆動制御信号を停止させ、さらに、点灯制御プログラムの読み込み先のメモリアドレスを設定変更してＲＯＭ362から点灯制御プログラムを読み出し可能とする。また、経時変化デバイス391の出力が０になると同時に、各経時変化デバイス391，392，393の制御入力端子39cをコントローラ45と接続し、このコントローラ45により所定の電圧を各制御入力端子39cに入力して、経時変化デバイス392に所定の時間特性、例えばここでは８時間の寿命時間T7を有する図１２(c)に示すような時間特性を設定し、経時変化デバイス391，393に、寿命時間T7よりも長い時間T8(例えば９時間)まで出力０が継続する、例えば図１２(d)に示すような時間特性を設定した後、コントローラ45を各制御入力端子39cから電気的に切り離す。
【０１０６】
この結果、ＣＰＵ31がＲＯＭ362から読み出した点灯制御プログラムに従って蛍光ランプ13を点灯制御する。
【０１０７】
さらに、寿命時間T7、すなわち８時間が経過して２４：００(０：００)になると、上記２回目の設定と同様の３回目の設定が行われる。すなわち、寿命時間T7の経過直前に、ＣＰＵ31が、点灯回路12の動作を停止するように駆動制御信号を停止させ、さらに、点灯制御プログラムの読み込み先のメモリアドレスを設定変更してＲＯＭ363から点灯制御プログラムを読み出し可能とする。また、経時変化デバイス392の出力が０になると同時に、各経時変化デバイス391，392，393の制御入力端子39cをコントローラ45と接続し、このコントローラ45により所定の電圧を各制御入力端子39cに入力して、経時変化デバイス393に所定の時間特性、例えばここでは８時間の寿命時間T7を有する図１２(c)に示すような時間特性を設定し、経時変化デバイス391，392に、寿命時間T7よりも長い時間T8まで出力０が継続する、例えば図１２(d)に示すような時間特性を設定した後、コントローラ45を各制御入力端子39cから電気的に切り離す。
【０１０８】
この結果、ＣＰＵ31がＲＯＭ363から読み出した点灯制御プログラムに従って蛍光ランプ13を点灯制御する。
【０１０９】
そして、さらに寿命時間T7、すなわち８時間が経過して８：００になると、上記３回目の設定と同様に４回目の設定が行われる。すなわち、寿命時間T7の経過直前に、ＣＰＵ31が、点灯回路12の動作を停止するように駆動制御信号を停止させ、さらに、点灯制御プログラムの読み込み先のメモリアドレスを設定変更してＲＯＭ361から点灯制御プログラムを読み出し可能とする。また、経時変化デバイス393の出力が０になると同時に、各経時変化デバイス391，392，393の制御入力端子39cをコントローラ45と接続し、このコントローラ45により所定の電圧を各制御入力端子39cに入力して、経時変化デバイス391に所定の時間特性、例えばここでは８時間の寿命時間T7を有する図１２(c)に示すような時間特性を設定し、経時変化デバイス392，393に、寿命時間T7よりも長い時間T8まで出力０が継続する、例えば図１２(d)に示すような時間特性を設定した後、コントローラ45を各制御入力端子39cから電気的に切り離す。
【０１１０】
すなわち、この４回目の設定に際しては、初期設定で各設定のタイミングを合わせてあるので、上記２回目および３回目の設定と同様に、経時変化デバイス391，392，393の時間特性を設定可能である。
【０１１１】
以下、同様に設定を繰り返すことで、時間手段であるタイマやその専用の電池などを備えることなく、蛍光ランプ13をそれぞれのＲＯＭ361，362，363に記憶した点灯制御プログラムに応じて非通電状態を含む時間に対応して制御できる。
【０１１２】
例えば朝、昼および夜などのそれぞれの時刻帯に応じて、朝には快適に目覚められるように高照度で点灯させ、昼には外光を考慮した制御、例えば外光が多く入ってくれば、蛍光ランプ13の出力を低下させるなどの制御をし、夜には色温度を下げ、落ち着いた室内照明を提供する制御をするなど、照明装置11の通電状態を問わず、時刻帯のみに対応して自動的に蛍光ランプ13に対して異なる制御をすることが可能になる。
【０１１３】
なお、上記各実施の形態において、経時変化デバイス39は、ＲＯＭ36、ＲＡＭ37およびＥＥＰＲＯＭ38とＣＰＵ31との間に設けて、これらの接続／遮断を直接切り換えるスイッチとしたが、例えばＲＯＭ36、ＲＡＭ37およびＥＥＰＲＯＭ38とＣＰＵ31との間にスイッチなどを設け、時間特性に応じてこれらスイッチを切り換えるなど、ＲＯＭ36、ＲＡＭ37およびＥＥＰＲＯＭ38とＣＰＵ31との接続／遮断を間接的に切り換えるスイッチとしてもよい。したがって、経時変化デバイス39の時間特性は、寿命時間T2に対応して出力が切り換わるように構成すれば、任意に設定できる。
【０１１４】
また、通電状態の最短の寿命時間を有する第１部品と、非通電状態の最短の寿命時間を有する第２部品とは、上記各実施の形態おいて共通の平滑コンデンサとしたが、それぞれが別の部品であっても同様に構成および制御できる。さらに、これら第１部品と第２部品とは、点灯回路12中に設けたものとしたが、照明装置11中の他の回路などに設けたものでもよい。
【０１１５】
そして、負荷としては、蛍光ランプ13以外の負荷を用いることも可能である。
【図面の簡単な説明】
【０１１６】
【図１】本発明の第１の実施の形態を示す負荷制御装置を備えた電気機器のブロック図である。
【図２】同上負荷制御装置の経時変化デバイスを示す説明図である。
【図３】同上経時変化デバイスの時間特性を示すグラフである。
【図４】同上負荷制御装置の部品の動作時間と劣化との関係を示すグラフである。
【図５】本発明の第２の実施の形態を示す負荷制御装置を備えた電気機器のブロック図である。
【図６】本発明の第３の実施の形態を示す負荷制御装置を備えた電気機器のブロック図である。
【図７】本発明の第４の実施の形態を示す負荷制御装置の経時変化デバイスの時間特性の補正制御を示すグラフである。
【図８】本発明の第５の実施の形態を示す負荷制御装置を備えた電気機器のブロック図である。
【図９】同上負荷制御装置の経時変化デバイスの時間特性を示すグラフである。
【図１０】本発明の第６の実施の形態を示す負荷制御装置を備えた電気機器のブロック図である。
【図１１】同上負荷制御装置の制御を示すタイミングチャートである。
【図１２】同上負荷制御装置の経時変化デバイスの時間特性を示すグラフである。
【符号の説明】
【０１１７】
11    電気機器としての照明装置
12    制御手段としての点灯回路
13    負荷としての蛍光ランプ
15    負荷制御装置としての放電灯点灯回路
31    駆動制御手段としてのＣＰＵ
36    記憶手段としてのＲＯＭ
37    記憶手段としてのＲＡＭ
38    記憶手段としてのＥＥＰＲＯＭ
39    経時変化デバイス
41    設定手段および補正手段の機能を有するコントローラ
45    特性設定手段の機能を有するコントローラ
T1    寿命時間である動作寿命時間
T2    寿命時間
【図１】
2009081006.tif 000003
【図２】
2009081006.tif 000004
【図３】
2009081006.tif 000005
【図４】
2009081006.tif 000006
【図５】
2009081006.tif 000007
【図６】
2009081006.tif 000008
【図７】
2009081006.tif 000009
【図８】
2009081006.tif 000010
【図９】
2009081006.tif 000011
【図１０】
2009081006.tif 000012
【図１１】
2009081006.tif 000013
【図１２】
2009081006.tif 000014